(57)【特許請求の範囲】
【請求項１】
内面に熱可塑性樹脂層を有する四角形状の積層フィルムを対向する２辺の端縁を前記熱可塑性樹脂層面を合わせて端縁熱接着部を形成し上下に開口を有する筒状体とし、前記筒状体の両側端部を内方に折り込んだ状態で上下の開口を上下熱接着部にて閉止した１重のガセット袋であって、前記ガセット袋の横方向の全周にわたって前記積層フィルムの外面にテープ材が接着され、前記端縁熱接着部における前記テープ材が接着された部分の一方の前記積層フィルムの端縁部に切欠が形成されるとともに、前記切欠に対向する位置の他方の前記積層フィルムの端縁部の前記テープ材の両側に切目が設けられた構成からなることを特徴とする易開封袋。
【請求項２】
前記端縁熱接着部が、前記袋の横方向の側端に位置し且つ前記ガセット袋の側端の折目よりも外方に突出した構成であることを特徴とする請求項１記載の易開封袋。
【請求項３】
前記端縁熱接着部が前記ガセット袋の横方向の略中央部に位置した構成であることを特徴とする請求項１記載の易開封袋。
【請求項４】
前記テープ材が２軸延伸フィルムに熱接着性樹脂層を積層したものであって、外面が２軸延伸ポリエチレンテレフタレートからなる袋においては前記テープ材の熱接着性樹脂層が変性ポリエステル系樹脂であり、外面が２軸延伸ポリプロピレンからなる袋においては前記テープ材の熱接着性樹脂層が変性ポリプロピレン系樹脂であることを特徴とする請求項１〜３のいずれかに記載の易開封袋。
【請求項５】
内面に熱可塑性樹脂層を有する積層フィルムを袋を作製するための所定幅にスリットし、この所定幅の積層フィルムの外面の所定位置に積層フィルムの流れ方向に直角方向にテープ材を全幅にわたって接着し、このテープ材が接着された所定幅の積層フィルムのテープ材が接着された部分の一方の端縁部に切欠を形成するとともにテープ材が接着された部分の他方の端縁部におけるテープ材の両側に２箇所の切目を形成し、このテープ材が接着されテープ材の一方の端縁部に切欠が形成され他方の端縁部に切目が形成された積層フィルムを製袋機ないしは自動充填包装機にかけて、積層フィルムのテープ材を接着した側が外側をなすように切欠が形成された一方の端縁と切目が形成された他方の端縁を対向させて、この２辺の端縁を熱可塑性樹脂層面を合わせて端縁熱接着部を形成し上下に開口を有する筒状体とし、この筒状体の両側端部を内方に折り込んだ状態で上下熱接着部にて閉止することを特徴とするガセット袋の製造方法。
【発明の詳細な説明】
【０００１】
【発明の属する技術分野】
本発明は、横方向に引き裂いて容易に開封できるガセット袋に関する。
【０００２】
【従来の技術】
従来、袋の両側端部を内方へ折り込んだ形状のガセット袋を横方向に簡単に引き裂いて開封できるようにしたものとしては、ガセット袋の縦方向の端縁部にて袋の両側端部の内方へ折込んだ部分を外側に折り返してフラットな状態とし、フラットな状態にした部分に開封手段を設けて開封しやすくした構成のものが知られている。しかしながら、この構成の場合は、製造が煩雑であってコスト高となる上に、引き裂き部をフラットな状態として開封できるようにしたものであり、両側端部を内方へ折り込んだガセット袋の状態で横方向に引き裂いて開封するものではなく、ガセット袋の状態で横方向に簡単に引き裂いて開封する適当な方法がないのが現状である。
【０００３】
【発明が解決しようとする課題】
本発明の目的は、横方向に引き裂くことにより簡単に開封できるようにしたガセット袋を提供することである。
【０００４】
【課題を解決するための手段】
内面に熱可塑性樹脂層を有する四角形状の積層フィルムを対向する２辺の端縁を前記熱可塑性樹脂層面を合わせて端縁熱接着部を形成し上下に開口を有する筒状体とし、前記筒状体の両側端部を内方に折り込んだ状態で上下の開口を上下熱接着部にて閉止した１重のガセット袋であって、前記ガセット袋の横方向の全周にわたって前記積層フィルムの外面にテープ材が接着され、前記端縁熱接着部における前記テープ材が接着された部分の一方の前記積層フィルムの端縁部に切欠が形成されるとともに、前記切欠に対向する位置の他方の前記積層フィルムの端縁部の前記テープ材の両側に切目が設けられた構成の易開封袋である。この場合、端縁熱接着部に形成された切欠に対向する積層フィルムの端縁部のテープ材の両側に切目が設けられた部分を掴んで引っ張ることにより、切欠の内側の端部から端縁熱接着部が剥離し、テープ材に沿って積層フィルムが袋の横方向の全周にわたって引き裂くことができるので簡単に開封することができる。また、テープ材を前記積層フィルムの外面に接着した構成とすることにより、積層フィルムへのテープ材の接着が簡単であるとともに端縁熱接着部の密封性がテープ材により阻害されることがない。
【０００５】
上記の易開封袋において、前記端縁熱接着部を前記ガセット袋の横方向の側端に位置し且つ前記ガセット袋の側端の折目よりも外方に突出させて形成した構成とすることにより、側端部からの開封となるので開封がしやすくなるとともに上下熱接着部の密封性が優れたものとなる。また、上記の易開封袋において、前記端縁熱接着部を前記ガセット袋の横方向の略中央部に位置した構成とすることにより、ガセット袋の外観がよくなる。
【０００６】
上記の易開封袋において、前記テープ材が２軸延伸フィルムに熱接着性樹脂層を積層したものであって、外面が２軸延伸ポリエチレンテレフタレートからなる袋においては前記テープ材の熱接着性樹脂層が変性ポリエステル系樹脂であり、外面が２軸延伸ポリプロピレンからなる袋においては前記テープ材の熱接着性樹脂層が変性ポリプロピレン系樹脂である易開封袋である。
【０００７】
また、請求項５記載の本発明のガセット袋の製造方法は、内面に熱可塑性樹脂層を有する積層フィルムを袋を作製するための所定幅にスリットし、この所定幅の積層フィルムの外面の所定位置に積層フィルムの流れ方向に直角方向にテープ材を全幅にわたって接着し、このテープ材が接着された所定幅の積層フィルムのテープ材が接着された部分の一方の端縁部に切欠を形成するとともにテープ材が接着された部分の他方の端縁部におけるテープ材の両側に２箇所の切目を形成し、このテープ材が接着されテープ材の一方の端縁部に切欠が形成され他方の端縁部に切目が形成された積層フィルムを製袋機ないしは自動充填包装機にかけて、積層フィルムのテープ材を接着した側が外側をなすように切欠が形成された一方の端縁と切目が形成された他方の端縁を対向させて、この２辺の端縁を熱可塑性樹脂層面を合わせて端縁熱接着部を形成し上下に開口を有する筒状体とし、この筒状体の両側端部を内方に折り込んだ状態で上下熱接着部にて閉止することを特徴とするものである。
【０００８】
【発明の実施の形態】
以下、図面を引用して本発明の実施の形態を説明する。
図１は本発明の易開封袋の第１実施形態を示す斜視図、図２は図１における切欠が形成された箇所の拡大図、図３は第１実施形態の開封する状態を示す斜視図、図４は本発明の第２実施形態を示す斜視図、図５は第２実施形態の開封する状態を示す斜視図であって、１は積層フイルム、2, 2’は端縁熱接着部、３は上下熱接着部、４は折込部、５は折目、６はテープ材、７は切欠、８は切目、11は基材層、12は熱可塑性樹脂層をそれぞれ表す。
【０００９】
本発明の第１実施形態の易開封袋は図１、図２に示すとおりである。第１実施形態の形状は、図１に示すように、四角形状の積層フイルム１の対向する２辺を熱可塑性樹脂層面を内側にして折りたたみ端縁熱接着部２により接着して筒状体とし、筒状体の両側端部を折目５にて内方に折り込んで折込部４を形成し、長手方向の端縁を上下熱接着部３にて接着したガセット袋であって、上下熱接着部３の内端の近傍の位置にガセット袋の横方向の全周にわたって積層フイルム１の外面にテープ材６が接着され、端縁熱接着部２における折込部側の積層フイルム１のテープ材６が接着された箇所の端縁部に切欠７が形成され、切欠７に対向する外面側の積層フイルム１の端部のテープ材６の両側近傍に切目８が設けられた構成である。端縁熱接着部２の切欠７および切目８が設けられた部分が開封開始部とされている。
【００１０】
端縁熱接着部２における切欠７および切目８が形成された開封開始部の構成は、図２に示すとおりである。積層フイルム１は基材層11と熱可塑性樹脂層12が積層された構成であり、積層フイルム１の内面の熱可塑性樹脂層12面同士を重ね合わせて熱接着することにより端縁熱接着部２が形成されている。端縁熱接着部２を形成する折込部側の積層フイルム１の端縁部にテープ材６がその中央に位置するように半円形状の切欠７が形成され、切欠７に対向する外面側の積層フイルム１の端縁部のテープ材６の近傍の両側に切目８が設けられた構成となっている。切欠７の深さは最大で端縁熱接着部２の幅の２／３程度とされ、切目８の長さは切欠７の内部に納まるように形成されている。
【００１１】
第１実施形態においては、端縁熱接着部２はガセット袋の側端に位置するように形成され、ガセット袋の側端の折目５よりも外方に突出するように形成されている。したがって、ガセット袋の両側の折目５間の横巾よりも端縁熱接着部２の巾だけ外方に突出している形状である。また、第１実施形態においては、切欠７を折込部側の積層フイルム１に設けているが、外面側の積層フイルム１に設けるようにしてもよい。切欠７を折込部側の積層フイルム１に設ける方が、積層フイルム１の端縁の切目８が形成された部分が外側に出ているので掴んで積層フイルム１を引き裂き開封しやすい上に意匠性の面でも優れている。本実施形態においては切欠７および切目８からなる開封開始部を上下熱接着部３の内端の近傍に設けているが、開封開始部を設ける位置は上下熱接着部を外した位置であって、ガセット袋の上下方向の中央部に設けるようにしてもよい。
【００１２】
第１実施形態の易開封袋を開封するには、一方の手で端縁熱接着部２の切欠７の近傍を掴み、他方の手で切欠７に対向する外面側の積層フイルム１のテープ材６が接着され２箇所の切目８が形成された端縁部を掴んで引っ張ることにより、切欠７の内側の端縁から端縁熱接着部２が剥離するか、ないしは切欠７の内側の端縁にて積層フイルム１の熱可塑性樹脂層12が破断して、図３に示すように、接着されたテープ材６の両側にて積層フイルム１が引き裂かれてゆき、ガセット袋を構成する積層フイルム１が全周にわたってテープ材６に沿って引き裂くことができるので容易に開封することができる。
【００１３】
本発明の第２実施形態の易開封袋は、図４に示すとおりであって、端縁熱接着部2'がガセット袋の横方向の略中央部に形成されている以外は、テープ材６の取り付け位置、切欠７および切目８からなる開封開始部の構成は第１実施形態の場合と同様である。第２実施形態においても、切欠７を折込部側の積層フイルム１に形成するか外面側の積層フイルム１に形成するかは任意であるが、第１実施形態の場合と同様に、切欠７を内面側の積層フイルム１に形成した方が積層フイルム１の引き裂き易さおよび意匠性の面で優れたものとなる。
【００１４】
積層フイルム１を構成する基材層11としては、２軸延伸プラスチック、金属ないしは金属酸化物蒸着２軸延伸プラスチック、ポリ塩化ビニリデンコート２軸延伸プラスチック等の２軸延伸フイルム、およびそれらのフイルムとエチレン−ビニルアルコール共重合体、アルミニウム箔、紙等の積層体が使用できる。２軸延伸プラスチックとしては、２軸延伸ポリエチレンテレフタレート、２軸延伸ポリプロピレン、２軸延伸ナイロン等が使用でき、熱可塑性樹脂層12としては、各種ポリエチレン（低密度ポリエチレン、線状低密度ポリエチレン、中密度ポリエチレン）、エチレン−酢酸ビニル共重合体、ポリプロピレン、エチレン−プロピレン共重合体、アイオノマー等が使用できる。積層フイルム１の構成としては、例えば、２軸延伸ポリエチレンテレフタレート（ＰＥＴ）／接着層／アルミニウム箔（ＡＬ）／接着層／ポリエチレン（ＰＥ）、２軸延伸ポリプロピレン（ＯＰＰ）／接着層／ＡＬ／接着層／ＰＥ、ＯＰＰ／接着層／アルミニウム蒸着ＰＥＴ／接着層／ＰＥ、２軸延伸ナイロン（ＯＮ）／接着層／ＡＬ／接着層／ＰＥ、ＯＮ／接着層／ＰＥ等である。
【００１５】
テープ材６としては、２軸延伸ポリエチレンテレフタレート、２軸延伸ポリプロピレン等の強度、耐熱性に優れた２軸延伸フイルムに熱接着性樹脂層ないしは粘着剤層を積層した構成のものが使用できる。テープ材６の構成としては、２軸延伸ポリエチレンテレフタレート／熱接着性樹脂層、２軸延伸ポリプロピレン／粘着剤層の構成が好ましい。熱接着性樹脂層を構成する樹脂としては袋の外面が２軸延伸ポリエチレンテレフタレートの場合には変成ポリエステル系樹脂が、また袋の外面が２軸延伸ポリプロピレンの場合には変成ポリプロピレン系樹脂を使用するのが好ましい。粘着剤層としてはアクリル系樹脂、ポリウレタン系樹脂、ポリエステル系樹脂からなる強粘着性の粘着剤を使用するのが好ましい。
【００１６】
本発明の易開封袋を製造するには、積層フイルムを作製して易開封袋を作製するための所定幅にスリットした後に、積層フイルムの外面の所定位置に積層フイルムの流れに直角方向にテープ材を全幅にわたって接着する。テープ材が接着された積層フイルムのテープ材が接着された部分の一方の端部に切欠を形成するとともに、積層フイルムのテープ材が接着された他方の端部におけるテープ材の両側に２箇所の切目を形成する。切欠の深さは最大ガセット袋を作製する際に形成される端縁熱接着部の幅の１／３ないし２／３とし、切目の長さは端縁熱接着部の幅内に納まる長さとする。上記のようにして作製されたテープ材が接着されテープ材の一方の端縁に切欠が形成され他方の端縁に切目が形成された積層フイルムを、製袋機にかけてガセット袋とされるか、ないしは、自動充填包装機にかけて内容物を充填する工程にてガセット袋とされる。ガセット袋において端縁熱接着部を袋の側端縁に設けるか、袋の幅方向の略中央部に設けるかは、製袋の方法により決まるものであり、使用する積層フイルムは同一である。
【００１７】
【発明の効果】
内面に熱可塑性樹脂層を有する四角形状の積層フイルムを対向する２辺の端縁を熱可塑性樹脂層面を合わせて端縁熱接着部を形成し上下に開口を有する筒状体とし、筒状体の両側部を内方に折り込んだ状態で端縁を上下熱接着部にて接着したガセット袋であって、ガセット袋の上下熱接着部を外した位置にガセット袋の横方向の全周にわたって積層フイルムにテープ材が接着され、端縁熱接着部におけるテープ材が接着された一方の積層フイルムの端縁部に切欠が形成されるとともに、他方の積層フイルムの端縁部の切欠に対向するテープ材の両側に切目が設けられた構成の易開封袋である。この場合、端縁熱接着部に形成された切欠にに対向する積層フイルムの端縁部のテープ材の両側に切目が設けられた部分を掴んで引っ張ることにより、切欠の内側の端部から端縁熱接着部が剥離し、テープ材に沿って積層フイルムが袋の横方向の全周にわたって引き裂くことができるので簡単に開封することができる。
上記の易開封袋において、テープ材を積層フイルムの外面に接着した構成とすることにより、積層フイルムへのテープ材の接着が簡単であるとともに端縁熱接着部の密封性がテープ材により阻害されることがない。
上記の易開封袋において、端縁熱接着部をガセット袋の横方向の側端に位置し且つガセット袋の側端の折目よりも外方に突出させて形成した構成とすることにより、側端部からの開封となるので開封がしやすくなるとともに上下熱接着部の密封性が優れたものとなる。
上記の易開封袋において、端縁熱接着部をガセット袋の横方向の略中央部に位置した構成とすることにより、ガセット袋が外観の優れたものとなる。
【図面の簡単な説明】
【図１】本発明の易開封袋の第１実施形態を示す斜視図。
【図２】図１における切欠が形成された箇所の拡大図。
【図３】第１実施形態の開封する状態を示す斜視図。
【図４】本発明の第２実施形態を示す斜視図。
【図５】第２実施形態の開封する状態を示す斜視図。
【符号の説明】
１  積層フイルム                    ６  テープ材
２，２’  端縁熱接着部              ７  切欠
３  上下熱接着部                    ８  切目
４  折込部                          11  基材層
５  折目                            12  熱可塑性樹脂層
【図１】
0004156070.tif 000002
【図２】
0004156070.tif 000003
【図３】
0004156070.tif 000004
【図４】
0004156070.tif 000005
【図５】
0004156070.tif 000006